(57)【要約】【課題】  旋回性の向上を図り小回りができ、狭い室内での移動を容易にした幼児用椅子を得ること。【解決手段】  前脚及び後脚からなる脚部２の上端部に装着されたシート支持部材７と、そのシート支持部材に載置支持された幼児用シート１とを有する幼児用椅子に関する。そして、上記前脚３及び後脚４の下端部にはその全てにキャスター２４が装着されている。【選択図】  図１
2005278974.tif 000002
【特許請求の範囲】
【請求項１】
前脚及び後脚からなる脚部の上端部に装着されたシート支持部材と、そのシート支持部材に載置支持された幼児用シートとを有する幼児用椅子において、上記前脚及び後脚の下端部にはその全てにキャスターが装着されていることを特徴とする、幼児用椅子。
【請求項２】
前脚と後脚とを互いに接近する方向或いは離間する方向に回動させることにより、幼児用シートの高さ調節を行うことができるようにするとともに、各前脚及び後脚内には、前脚及び後脚の回動に応じて上記キャスターにおけるキャスター軸を常に垂直状態に保つようにする連動バーが設けられていることを特徴とする、請求項１記載の幼児用椅子。
【請求項３】
各前脚及び後脚の先端部がそれぞれキャスターホルダーに枢着されるとともに、各前脚及び後脚内に設けられた連動バーの先端部が、上記キャスターホルダーに対して上記各脚の枢着軸から偏心した位置に枢着され、上記連動バーの他端部が、シート支持部材に設けられたボス或いはヒンジ結合部に枢着され各脚の回動に応じて揺動されるレバーに連結されていることを特徴とする、請求項２記載の幼児用椅子。
【請求項４】
シート支持部材に枢着されている上記レバーの先端部が、各脚に設けられた長孔に係合されていることを特徴とする、請求項３に記載の幼児用椅子。
【発明の詳細な説明】
【技術分野】
【０００１】
本発明は、新生児、乳児或いは児童等の幼児のために使用される高さ調節可能な椅子に関する。
【背景技術】
【０００２】
従来、上記幼児用椅子としては、幼児用シートにリクライニング機構を設け、幼児を寝かせた状態にしたり、或いは腰掛けた状態にさせることができるようにするとともに、その幼児用シートを支持する脚部に車輪を設け室内を自由に移動可能とし、さらに食事をする際等に高さを調節できるようにしたものが提案され実用に供されている。すなわち、上記幼児用椅子としては、前脚と後脚の中間部を互いに枢着することによりＸ字状に構成された左右一対のＸ字脚によってシートを支持するようにし、Ｘ字状の前脚と後脚とを互いに接近する方向或いは離間する方向に回動させることにより、シートの高さの調節を行うことができるようにするとともに、室内での移動時に方向転換が容易に行われるようにするために、特に前脚の先端部にキャスターを設けることが行われている。
【特許文献１】特開２００３−２４１８９号公報
【発明の開示】
【発明が解決しようとする課題】
【０００３】
ところが、上記従来の幼児用椅子においては上述のように前脚のみにキャスターが設けられているので、移動時における旋回性が十分でなく小回りが利かず、狭い室内での移動が必ずしも容易でない等の問題がある。
【０００４】
本発明は、このような点に鑑み、旋回性の向上を図り小回りができ、狭い室内での移動を容易にした幼児用椅子を得ることを目的とする。
【課題を解決するための手段】
【０００５】
請求項１に係る発明は、前脚及び後脚をからなる脚部の上端部に装着されたシート支持部材と、そのシート支持部材に載置支持された幼児用シートとを有する幼児用椅子において、上記前脚及び後脚の下端部にはその全てにキャスターを装着したことを特徴とする。
【０００６】
請求項２に係る発明は、請求項１に係る発明において、前脚と後脚とを互いに接近する方向或いは離間する方向に回動させることにより、幼児用シートの高さ調節を行うことができるようにするとともに、各前脚及び後脚内には、前脚及び後脚の回動に応じて上記キャスターにおけるキャスター軸を常に垂直状態に保つようにする連動バーが設けられていることを特徴とする。
【０００７】
請求項３に係る発明は、請求項２に係る発明において、各前脚及び後脚の先端部がそれぞれキャスターホルダーに枢着されるとともに、各前脚及び後脚内に設けられた連動バーの先端部が、上記キャスターホルダーに対して上記各脚の枢着軸から偏心した位置に枢着され、上記連動バーの他端部が、シート支持部材に設けられたボス或いはヒンジ結合部に枢着され各脚の回動に応じて揺動されるレバーに連結されていることを特徴とする。
【０００８】
請求項４に係る発明は、請求項３に係る発明において、シート支持部材に枢着されている上記レバーの先端部が、各脚に設けられた長孔に係合されていることを特徴とする。
【発明の効果】
【０００９】
本発明は、上述のように前脚及び後脚の下端部の全てにキャスターを装着したので、移動時における旋回性を十分向上させることができ、小回りが利き、狭い室内でも自由に移動させることができる。
【発明を実施するための最良の形態】
【００１０】
以下、添付図面を参照して本発明の実施の形態を説明する。
【００１１】
図１は幼児用椅子の概略構成を示す斜視図、図２はその側面図であって、幼児用シート１は左右一対のＸ字状に形成されたＸ字脚２によって支持されている。上記Ｘ字脚２は、前脚３及び後脚４の中間部をピン５によって互いに枢着することにより構成されており、左右の前脚３は前部連結杆６ａにより連結され、左右の後脚４は後部連結杆６ｂ（図２）により連結されている。上記後脚４の上端部はシート支持部材７の前部に設けられたボス８に枢着されており、前脚３の上端部はシート支持部材７の後部に上記シート支持部材７対して前後動可能に設けられたヒンジ結合部９に枢着されている。そして、上記シート支持部材７の外側面には、鎖線で示すように、そのシート支持部材７、並びに上記ボス８及びヒンジ結合部９の上部を覆うカバーが設けられており、上記シート支持部材７上に前記幼児用シート１が載置装着されている。
【００１２】
上記幼児用シート１は図１及び図２に示すように、幼児が主に臀部を乗せる座部１０と、この座部１０の後方に配置された背部１１と、背部１１の上方に設けられたヘッドレスト１２と、座部１０の前方に設けられたステップ１３により構成されており、上記背部１１は、図１に示すように立ち上げられ椅子として使用可能な状態と、図３に示すように後方に倒されベッドとして使用可能な状態とすることが出来るように、リクライニング機構を有している。そしてベッドとして使用可能な状態に背部１１を倒したときには、上記背部１１の後方への揺動に対応してステップ１３も上方に揺動し、幼児の足が支持されるようにしてある。上記ステップ１３の両側部には側壁１３ａが設けられており、上述のようにベッドとしての使用中における乳幼児の転落が防止されるとともに、もしかしたら落ちるかもしれないという視覚的な不安感がなくなるようにしてある。
【００１３】
図４は前脚３及び後脚４とシート支持部材７との連結部の構成を示す図であり、後脚４の上端部がシート支持部材７のボス８にピン１４により枢着され、前脚３の上端部がヒンジ結合部９にピン１５により枢着されている。上記ヒンジ結合部９にはスライドバー１６が一体的に設けられており、そのスライドバー１６がシート支持部材７内に前後方向にスライド可能に収納されている。すなわち、スライドバー１６には前後方向すなわち長手方向にヒンジ結合部９まで延びる長孔１７が形成されている。この長孔１７に対し、シート支持部材７に所定の間隔をもって突設された２本のピン１８が嵌挿されており、上記長孔１７とピン１８との係合によりスライドバー１６が長手方向に摺動可能としてある。このスライドバー１６は図示しないバネにより図４中左方向、すなわちＸ字脚２が延びて高くなる方向に付勢されている。
【００１４】
スライドバー１６は断面四角形をしており、そのスライドバー１６の上面には長手方向に複数の調節孔１９が列状に配設されている。一方、シート支持部材７には上記調節孔１９のいずれかに選択的に差し込まれるピン２０が上下動可能に設けられている。ピン２０はバネ２１によって差込方向に付勢されており、また、ピン２０の拡径された部分に係止するするレバー２２が設けられている。このレバー２２はシート支持部材７の外側に突出されており、上記ピン２０に沿って上下動可能としてある。
【００１５】
しかして、シート支持部材７の外側からレバー２２を上方に引き上げると、バネ２１の付勢力に抗してピン２０が上方に移動し、調節孔１９から外れる。ピン２０が調節孔１９から外れることによりスライドバー１６は図示しないバネの作用により図中左方向に移動し、これによりＸ字状に交差してヒンジ結合されているＸ字脚２が延び、椅子の高さが高くなる。
【００１６】
一方、この状態でピン２０を調節孔１９から引き抜き、シート支持部材７を押し下げると、スライドバー１６がヒンジ結合部９とともに図２において右方向に移動して前脚３及び後脚４の傾斜角が小さくなり、上記ヒンジ結合部９が最も右に移動するとピン２０が調節孔１９に係合し高さが低い折り畳み状態となる。この折り畳み状態を図５に示す。
【００１７】
ところで、全ての前脚３及び後脚４の下端部にはそれぞれキャスター２４が設けられている。しかして、上記キャスター２４により幼児用椅子は前後左右に容易に移動することが出来、旋回性を十分向上させることができ、小回りが利き、狭い室内でも自由に移動させることができる。
【００１８】
ところが、上述のように前脚３及び後脚４の全てにキャスター２４を設けた場合には、例えば、図２に示すようにＸ字脚２の高さを高くしたハイポジション状態から図５に示すように低くしたローポジション状態にした場合に、前脚３及び後脚４の傾斜角が変わることにより、キャスター軸２５が床面に対して垂直でなくなり移動がスムースでなくなることがある等の問題がある。そこで、本発明においては、幼児用椅子がハイポジション、ローポジションのどちらの状態でも常にキャスター軸２５が床面に対して垂直になるようにしてある。
【００１９】
図６は前脚３のキャスター２４及びヒンジ結合部９との連結状態を示す断面図であり、前脚３の下端部が軸２６によりキャスター２４のキャスターホルダー２７に枢着されており、前脚３の上端部が軸２８によりヒンジ結合部９に枢着されている。上記前脚３内には連動バー２９が挿通されており、その連動バー２９の下端部が前脚３の開口部３ａから突出されその先端部が上記キャスターホルダー２７に枢着されている。すなわち、上記連動バー２９の下端部が前脚３が枢着されている軸２６に対して偏心した位置でピン３０によりキャスターホルダー２７に枢着されている。一方、上記ヒンジ結合部９には、前脚３の上端部をヒンジ結合部９に枢着している軸２８に対して偏心した位置に軸３１が設けられており、その軸３１によりレバー３２が揺動可能に枢着され、そのレバー３２の先端部にピン３３により前記連動バー２９の上端部が枢着されている。そして、上記ピン３３が前脚３に設けられた長手方向に延びる長孔３４に係合されている。
【００２０】
しかして、図６において実線で示す前記ハイポジション状態の前脚３が鎖線で示すローポジション状態になるように回動すると、ピン３３と長孔３４との係合によりレバー３２が図６において時計方向に揺動され、上記連動バー２９が軸線方向に引張られる。したがって、上記連動バー２９が軸線方向の移動によりキャスターホルダー２７が軸２６を中心として反時計方向に回動され、キャスター軸２５は床面に対して垂直状態に保持される。
【００２１】
逆に、前脚３が鎖線で示すローポジション状態から実線で示すハイポジション状態になる場合には、連動バー２９を介してキャスターホルダー２７が時計方向に回動され、キャスター軸２５は前脚３の回動に関わらず垂直状態に維持される。
【００２２】
図６においては前脚３について説明したが、後脚４においても、後脚４及びレバー３２がシート支持部材７のボス８にそれぞれ枢着されている以外は同様に構成されており、前脚３と同様にキャスター軸２５は後脚３の回動に関わらず垂直状態に維持される。
【００２３】
図７に、幼児用椅子がハイポジション位置にある状態を、図８にローポジション位置にある状態を示す。このように、上記幼児用椅子におけるキャスター２４のキャスター軸２５は、Ｘ字脚がハイポジションの状態でもローポジションの状態でも常に床面に対して垂直に維持されるため、椅子の移動をスムースに行うことができる。
【図面の簡単な説明】
【００２４】
【図１】本発明の幼児用椅子の斜視図。
【図２】本発明の幼児用椅子の側面図。
【図３】幼児用シートを寝台として使用可能とした状態を示す斜視図。
【図４】前脚及び後脚とシート支持部材との連結部の構成を示す図。
【図５】幼児用椅子をローポジションとした状態を示す側面図。
【図６】前脚のキャスター及びヒンジ結合部との連結状態を示す断面図。
【図７】幼児用椅子がハイポジション位置にある状態を示す図。
【図８】幼児用椅子がローポジション位置にある状態を示す図。
【符号の説明】
【００２５】
１  幼児用シート
２  Ｘ字脚
３  前脚
４  後脚
７  シート支持部材
８  ボス
９  ヒンジ結合部
１０  座部
１１  背部
１３  ステップ
１６  スライドバー
１７  長孔
１９  調節孔
２０  ピン
２２  レバー
２４  キャスター
２５  キャスター軸
２７  キャスターホルダー
２９  連動バー
３２  レバー
【図１】
2005278974.tif 000003
【図２】
2005278974.tif 000004
【図３】
2005278974.tif 000005
【図４】
2005278974.tif 000006
【図５】
2005278974.tif 000007
【図６】
2005278974.tif 000008
【図７】
2005278974.tif 000009
【図８】
2005278974.tif 000010